(57)【特許請求の範囲】
【請求項１】
液体を収容する容器と、前記液体を加熱する加熱源と、前記液体の温度を検出する温度検知手段と、前記液体の温度を表示する表示手段と、前記表示手段を制御する制御手段と、商用電源が供給されていないときに前記制御手段に電源供給を行うバックアップ電源と、前記バックアップ電源にて電源を供給開始してからの経過時間を計測するバックアップ時表示時間計測手段とを備え、前記制御手段は商用電源が供給されないことを検知してから、前記バックアップ時表示時間計測手段にて計測した時間が所定時間経過するまでは、前記表示手段による温度表示は更新せず、商用電源の電源供給が終了したときの温度表示を維持する構成とした電気湯沸かし器。
【請求項２】
表示手段は、液体の温度表示と、バックアップ時表示時間計測手段で計測した経過時間とを表示する請求項１に記載の電気湯沸かし器。
【請求項３】
商用電源による電源供給が終了したときの温度を記憶する商用電源供給時記憶手段を備え、商用電源による電源供給が終了し、バックアップ電源から制御手段に電源が供給されているときに、温度検知手段により検知した温度が前記商用電源供給時記憶手段により記憶した温度から所定の温度以上変化すると、表示手段による温度表示を更新させるようにした請求項１または２に記載の電気湯沸かし器。
【請求項４】
商用電源による供給が終了し、バックアップ電源から制御手段に電源が供給され始めると、商用電源供給時記憶手段により記憶した温度データがなければ、表示手段による温度表示を更新させる請求項３に記載の電気湯沸かし器。
【請求項５】
液体を収容する容器と、前記液体を加熱する加熱源と、前記液体の温度を検出する温度検知手段と、前記液体の温度を表示する表示手段と、前記表示手段を制御する制御手段と、商用電源が供給されていないときに前記制御手段に電源供給を行うバックアップ電源と、前記バックアップ電源にて電源を供給終了してからの経過時間を計測するバックアップ終了後表示時間計測手段を備え、前記制御手段は商用電源が供給されて、前記バックアップ電源による電源供給が終了したことを検知してから、前記バックアップ終了後表示時間計測手段にて計測した時間が所定時間経過するまでは、前記表示手段による温度表示は更新せず、前記バックアップ電源の電源供給が終了したときの温度表示を維持する構成とした電気湯沸かし器。
【請求項６】
表示手段は、液体の温度表示と、バックアップ終了後表示時間計測手段で計測した経過時間とを表示する請求項５に記載の電気湯沸かし器。
【請求項７】
バックアップ電源による電源供給が終了したときの温度を記憶するバックアップ供給時記憶手段を備え、バックアップ電源による電源供給が終了し、商用電源から制御手段に電源が供給されているときに、温度検知手段により検知した温度が前記バックアップ供給時記憶手段により記憶した温度から所定の温度以上変化すると、前記表示手段による温度表示を更新させる構成とした請求項５または６に記載の電気湯沸かし器。
【請求項８】
制御手段に商用電源が供給されて、バックアップ電源による電源供給が終了したときに、バックアップ供給時記憶手段により記憶した温度データがなければ、表示手段による温度表示を更新させる請求項７記載の電気湯沸かし器。
【請求項９】
バックアップ電源にて電源を供給しているときは、表示手段による温度表示は所定方向の変化のみ更新可能とする構成とした請求項１〜８のいずれか１項に記載の電気湯沸かし器。
【請求項１０】
商用電源が供給されているときに容器内の液体の水量を検知する水量検知手段を備え、制御手段はバックアップ電源にて電源を供給しているときは、水量検知手段により検知した液体の量に応じて表示手段による温度表示を補正する構成とした請求項１〜９のいずれか１項に記載の電気湯沸かし器。
【請求項１１】
表示手段による表示を点滅して行う構成とした請求項１〜１０のいずれか１項に記載の電気湯沸かし器。
【発明の詳細な説明】
【０００１】
【発明の属する技術分野】
本発明は、商用電源による電源供給終了後に、引き続きバックアップ電源による湯温表示を行う電気湯沸かし器に関するものである。
【０００２】
【従来の技術】
従来、電気湯沸かし器の中には、表示手段にて容器内の湯温をデジタル表示し、商用電源による電源供給が終了して、バックアップ電源による電源供給に移行した後も引き続き表示手段にて湯温表示を行うものがある。この温度表示は商用電源の供給が終了したときの温度からの変化に応じて即変化するものであった。
【０００３】
【発明が解決しようとする課題】
しかしながら、前記従来の構成には、バックアップ電源による電源供給に移行した後すぐに湯温が変化するようなことがあれば、湯温表示がちらつくことで使用者に違和感を与えることもあり、使い勝手が良くないという課題があった。
【０００４】
本発明は、上記従来の課題を解決するもので、湯温表示のちらつきを防止し、使用者に違和感を与えることなく、使い勝手を向上させた電気湯沸かし器を提供することを目的とするものである。
【０００５】
【課題を解決するための手段】
上記目的を達成するために、本発明の電気湯沸かし器は、バックアップ電源による電源供給に移行した後、所定時間は商用電源の供給が終了したときの温度表示を維持する構成としたものである。
【０００６】
これによって、湯温表示のちらつきを防止し、違和感をなくすことができ、使い勝手を向上させることができる。
【０００７】
【発明の実施の形態】
請求項１に記載の発明は、液体を収容する容器と、前記液体を加熱する加熱源と、前記液体の温度を検出する温度検知手段と、前記液体の温度を表示する表示手段と、前記表示手段を制御する制御手段と、商用電源が供給されていないときに前記制御手段に電源供給を行うバックアップ電源と、前記バックアップ電源にて電源を供給開始してからの経過時間を計測するバックアップ時表示時間計測手段とを備え、前記制御手段は商用電源が供給されないことを検知してから、前記バックアップ時表示時間計測手段にて計測した時間が所定時間経過するまでは、前記表示手段による温度表示は更新せず、商用電源の電源供給が終了したときの温度表示を維持する構成とすることにより、制御手段は商用電源からバックアップ電源の電源供給に移行した後、所定時間は商用電源の供給が終了したときの温度表示を維持する構成とした電気湯沸かし器としたことで、湯温表示のちらつきを防止し、違和感をなくすことができる。
【０００８】
請求項２に記載の発明は、特に、請求項１に記載の表示手段による表示を、液体の温度表示だけでなく、バックアップ時表示時間計測手段で計測した経過時間をも表示する構成としたものであり、バックアップ電源による電源供給を開始してからの経過時間も知ることが可能で、表示手段の利便性及び機能性を向上することができる。
【０００９】
請求項３に記載の発明は、特に、商用電源供給時記憶手段を備えて、温度検知手段により検知した温度が商用電源供給時記憶手段により記憶した温度から所定の温度以上変化すると、表示手段による温度表示を更新させる構成としたものであり、例えば、商用電源による電源供給が終了した直後に水を追加して、所定の温度以上の変化があったときは、所定時間経過していなくても表示を更新させることで、表示手段の利便性を向上させることができる。
【００１０】
請求項４に記載の発明は、特に、請求項３に記載の商用電源供給時記憶手段により記憶した温度データがなければ、所定時間経過していなくても表示手段による温度表示を更新させる構成としたものであり、例えば、温度検知手段で検知する温度がゆらいで、温度データが確定していないとき、商用電源による電源供給が終了し、その終了直後に温度検知手段で検知する温度が安定して温度データが確定した場合は、所定時間経過していなくても表示を更新させることで、所定時間だけ温度表示がない状態になってしまうのを回避することができる。
【００１１】
請求項５に記載の発明は、液体を収容する容器と、前記液体を加熱する加熱源と、前記液体の温度を検出する温度検知手段と、前記液体の温度を表示する表示手段と、前記表示手段を制御する制御手段と、商用電源が供給されていないときに前記制御手段に電源供給を行うバックアップ電源と、前記バックアップ電源にて電源を供給終了してからの経過時間を計測するバックアップ終了後表示時間計測手段とを備え、前記制御手段は商用電源が供給されて、前記バックアップ電源による電源供給が終了したことを検知してから、前記バックアップ終了後表示時間計測手段にて計測した時間が所定時間経過するまでは、前記表示手段による温度表示は更新せず、前記バックアップ電源の電源供給が終了したときの温度表示を維持する構成とすることにより、バックアップ電源から商用電源の電源供給に移行した後、所定時間はバックアップ電源の供給が終了したときの温度表示を維持することで、湯温表示のちらつきを防止し、違和感をなくすことができる。
【００１２】
請求項６に記載の発明は、特に、請求項５に記載の表示手段による表示を液体の温度表示だけでなく、バックアップ終了後表示時間計測手段で計測した経過時間をも表示する構成としたものであり、商用電源による電源供給を開始してからの経過時間も知ることが可能で、表示手段の利便性及び機能性を向上させることができる。
【００１３】
請求項７に記載の発明は、特に、バックアップ供給時記憶手段を備えて、温度検知手段により検知した温度がバックアップ供給時記憶手段により記憶した温度から所定の温度以上変化すると表示手段による温度表示を更新させる構成としたものであり、例えば、バックアップ電源による電源供給が終了した直後に水を追加して、所定の温度以上の変化があったときは、所定時間経過していなくても表示を更新させることで表示手段の利便性を向上させることができる。
【００１４】
請求項８に記載の発明は、特に、請求項７に記載のバックアップ供給時記憶手段により記憶した温度データがなければ、所定時間経過していなくても表示手段による温度表示を更新させる構成としたものであり、例えば、温度検知手段で検知する温度がゆらいで、温度データが確定していないときに、バックアップ電源による電源供給が終了し、終了直後に温度検知手段で検知する温度が安定して温度データが確定した場合は、所定時間経過していなくても表示を更新させることで、所定時間だけ温度表示がない状態になってしまうのを回避することができる。
【００１５】
請求項９に記載の発明は、特に、バックアップ電源にて電源を供給しているときは、表示手段による温度表示は所定方向の変化のみ更新可能とする構成としたものであり、表示手段により表示する温度が表示更新のしきい値辺りにあるときの湯温表示のちらつきを防止し、表示の利便性を向上することができる。
【００１６】
請求項１０に記載の発明は、特に、水量検知手段を備えて、制御手段はバックアップ電源にて電源を供給しているときは水量検知手段により検知した液体の量に応じて表示手段による温度表示を補正する構成としたものであり、バックアップ電源にて電源を供給しているときに、表示手段による温度表示への補正を行って、容器内の液体の量に応じた適正な温度表示を行うことができる。
【００１７】
請求項１１に記載の発明は、特に表示手段による表示を点滅して行う構成としたものであり、表示手段の点灯時間を削減して、バックアップ電源の電力消費を低減することができる。
【００１８】
【実施例】
以下本発明の実施例について、図面を参照しながら説明する。
【００１９】
（実施例１）
図１は本発明の実施例１における電気湯沸かし器を示すものである。図において、１は商用電源を供給するための電源プラグ、２は液体を収容する容器、３は容器２内の液体を加熱する加熱源、４は容器２内の液体の温度を検知する温度検知手段、５は液体の温度を表示する表示手段、６は表示手段５および加熱源３を制御する制御手段、７は商用電源が供給されていないときに制御手段６に電源を供給する一次電池で構成されたバックアップ電源、８はバックアップ電源７にて電源を供給開始してからの経過時間を計測するバックアップ時表示時間計測手段である。なお、容器２内の液体はポンプ１３によりパイプ１４を介して吐出口１５より吐出されるものである。
【００２０】
電源プラグ１が装着され商用電源が供給されると、まず、温度検知手段４により容器２内の液体の温度を検知し、検知した温度が低い場合には制御手段６により、加熱源３を制御し容器２内の液体の加熱を開始する。また、検知した温度が高い場合には、制御手段６により、加熱源３を制御し容器２内の液体の保温を行う。このとき、制御手段６は表示手段５を制御し、温度検知手段４で検知した液体の温度の表示を行う。ここで、電源プラグ１が抜かれる等により、商用電源が供給されなくなると、制御手段６は加熱源３への通電をオフして容器２内の液体の加熱もしくは保温を停止する。しかし、商用電源が供給されなくなっても、バックアップ電源７により動作することができ、電源が供給されて、制御手段６は温度検知手段４で検知する温度を表示手段５にて表示し続ける。
【００２１】
このとき、バックアップ時表示時間計測手段８は、バックアップ電源７にて電源を供給開始してからの経過時間を計測し、制御手段６は、バックアップ時表示時間計測手段８より入力する信号に基づき、所定時間（本実施例では６０秒）経過を検知するまでは商用電源の供給が終了したときの温度表示を維持し、６０秒経過を検知後は表示手段５による温度表示の更新を可能とする。すなわち、表示手段５は現状の湯温を表示する。
【００２２】
このような構成により、バックアップ電源７にて電源を供給開始してから６０秒間は商用電源の供給が終了したときの温度表示を維持して、電源プラグ１を抜いてすぐに表示手段５の温度表示が変化するという違和感をなくすことができる。
【００２３】
（実施例２）
本発明の実施例２における電気湯沸かし器について図１を基に説明する。本実施例において実施例１と異なる点は、制御手段６が、バックアップ時表示時間計測手段８で計測した時間と、温度検知手段４で検知した温度の両方を表示手段５で表示するようにしたことである。
【００２４】
このような構成により、使用者が容器２内の液体の温度に加えて商用電源がオフしてからの経過時間も知ることができ、容器２内の液体の状態を容易に想像することが可能となって、表示の利便性を向上させることができる。
【００２５】
（実施例３）
図２は本発明の実施例３における電気湯沸かし器を示すものである。図において、図１と同一の機能を有するものは同一の符号を付与し説明を省略する。
【００２６】
本実施例において実施例１と異なる点は、商用電源の供給が終了したときの温度を記憶する商用電源供給時記憶手段９を新たに設けて、制御手段６が、商用電源による電源供給が終了し、バックアップ電源７により電源が供給されているときに、温度検知手段７により検知した温度が商用電源供給時記憶手段９により記憶した温度から所定の温度（本実施例では２０℃）以上上昇または下降すると、温度表示更新禁止中であっても、表示手段５による温度表示を更新させるようにしたことである。
【００２７】
このような構成により、例えば、商用電源による電源供給が終了した直後に容器２内に液体を追加しても、制御手段６は即座に追加後の液体の温度に応じて表示を表示手段５にて行い、表示の利便性を向上させることができる。
【００２８】
（実施例４）
本発明の実施例４における電気湯沸かし器について図２を基に説明する。本実施例において実施例３と異なる点は、商用電源による電源供給が終了し、バックアップ電源７から制御手段６に電源が供給され始めたとき、商用電源供給時記憶手段９により記憶した温度データがなければ、表示手段５による温度表示を更新させるようにしたことである。
【００２９】
このような構成により、例えば、温度検知手段４で検知する温度がゆらいで温度データが確定していないときに、商用電源による電源供給が終了し、終了直後に温度検知手段４で検知する温度が安定して温度データが確定した場合は、温度表示がない状態になってしまうのを回避することが可能となり、表示の利便性および機能を向上させることができる。
【００３０】
（実施例５）
図３は本発明の実施例５における電気湯沸かし器を示すものである。図において、図１と同一の機能を有するものは同一の符号を付与し説明を省略する。
【００３１】
本実施例において実施例１と異なる点は、実施例１におけるバックアップ時表示時間計測手段８の代わりに、バックアップ電源７による電源供給が終了してからの経過時間を計測するバックアップ終了後表示時間計測手段１０を新たに設けて、制御手段６にバックアップ終了後表示時間計測手段１０から信号を入力するようにしたことである。
【００３２】
本実施例では  バックアップ電源７による電源の供給が行われているときに、電源プラグ１が装着され商用電源が供給されると、まず、温度検知手段４により容器２内の液体の温度を検知し、検知した温度が低い場合には制御手段６により、加熱源３を制御し容器２内の液体の加熱を開始する。また、検知した温度が高い場合には、制御手段６により、加熱源３を制御し容器２内の液体の保温を行う。このとき、制御手段６は表示手段５を制御し、温度検知手段４で検知した液体の温度の表示を続ける。
【００３３】
このとき、バックアップ終了後表示時間計測手段１０は、商用電源にて電源を供給開始してからの経過時間を計測し、制御手段６はバックアップ終了後表示時間計測手段１０より入力する信号に基づき、所定時間（本実施例では６０秒）経過を検知するまではバックアップ電源７の供給が終了したときの温度表示を維持し、６０秒経過を検知後は表示手段５による温度表示の更新を可能とする。
【００３４】
このような構成により、バックアップ電源７による電源供給が終了し、商用電源にて電源を供給開始してから６０秒間はバックアップ電源７からの電源の供給が終了したときの温度表示を維持して、電源プラグ１を装着してすぐに表示手段５の温度表示が変化するという違和感をなくすことができる。
【００３５】
（実施例６）
本発明の実施例６における電気湯沸かし器について図３を基に説明する。本実施例において実施例５と異なる点は、制御手段６が、バックアップ終了後表示時間計測手段１０で計測した時間と、温度検知手段４で検知した温度の両方を表示手段５で表示するようにしたことである。
【００３６】
このような構成により、使用者が容器２内の液体の温度に加えて、商用電源が供給されてからの経過時間も知ることができ、容器２内の液体の状態を容易に想像することが可能となって、表示の利便性を向上させることができる。
【００３７】
（実施例７）
図４は本発明の実施例７における電気湯沸かし器を示すものである。図において、図３と同一の機能を有するものは同一の符号を付与し説明を省略する。
【００３８】
本実施例において実施例６と異なる点は、バックアップ電源７の電源供給が終了したときの温度を記憶するバックアップ供給時記憶手段１１を新たに設けて、制御手段６が商用電源が供給されてバックアップ電源７からの電源供給が終了した後、温度検知手段４により検知した温度がバックアップ供給時記憶手段１１により記憶した温度から所定の温度（本実施例では２０℃）以上上昇または下降すると、温度表示更新禁止中であっても、表示手段５による温度表示を更新させるようにしたことである。
【００３９】
このような構成により、例えば、バックアップ電源７による電源供給が終了した直後に容器２内に液体を追加しても、制御手段６は即座に追加後の液体の温度に応じた表示を表示手段５にて行い、表示の利便性を向上させることができる。
【００４０】
（実施例８）
本発明の実施例８における電気湯沸かし器について図４を基に説明する。本実施例において実施例７と異なる点は、バックアップ電源７による電源供給が終了し、商用電源から制御手段６に電源が供給され始めたとき、バックアップ供給時記憶手段１１により記憶した温度データがなければ、表示手段５による温度表示を更新させるようにしたことである。
【００４１】
このような構成により、例えば、温度検知手段４で検知する温度がゆらいで、温度データが確定していないときにバックアップ電源７による電源供給が終了し、終了直後に温度検知手段４で検知する温度が安定して温度データが確定した場合は、温度表示がない状態になってしまうのを回避することが可能となり、表示の利便性及び機能を向上させることができる。
【００４２】
（実施例９）
本発明の実施例９における電気湯沸かし器について図１を基に説明する。本実施例において実施例１と異なる点は、バックアップ電源７にて電源を供給しているときは、表示手段５による温度変更は所定方向（本実施例では下降方向）のみ更新可能とするようにしたことである。
【００４３】
以上のような構成により、例えば、表示手段５により表示する温度を５℃毎に表示更新する構成の場合、温度検知手段４で検知する温度が前記表示更新のしきい値辺りにあるときにも、制御手段６は表示手段５による湯温表示のちらつきを防止して、表示の利便性を向上させることができる。
【００４４】
（実施例１０）
本発明の実施例１０における電気湯沸かし器について図５を基に説明する。図において図２と同一の機能を有するものは同一の符号を付与し説明を省略する。
【００４５】
本実施例において実施例３と異なる点は、商用電源が供給されて加熱源３により容器２内の液体を加熱しているときに、温度検知手段４で検知する温度の上昇勾配に基づき、容器２内の液体の量を検知する水量検知手段１２を設けて、制御手段６は、商用電源による電源供給が終了し、バックアップ電源７から制御手段６に電源が供給されているときに、水量検知手段１２により検知した液体量に応じて、表示手段５による温度表示への補正を行うようにしたことである。
【００４６】
このような構成により、商用電源による電源供給が終了しても、容器２内の液体の量に応じた適正な温度表示を行うことができる。なお、本実施例では、水量検知手段１２には温度検知手段４で検知する温度に基づき容器２内の液体の量を検知しているが、異なる方式にて容器２内の液体の量を検知する構成としても同様の効果を得ることができる。
【００４７】
（実施例１１）
本発明の実施例１１における電気湯沸かし器について図５を基に説明する。本実施例において実施例１０と異なる点は、表示手段５で表示する表示を点滅（実施例では１０秒ＯＮ、５秒ＯＦＦ）にて行うようにしたことである。
【００４８】
このような構成により、表示手段５の点灯時間を削減し、バックアップ電源６の消費電力を低減して、バックアップ電源６を構成する一次電池の寿命を延ばすことができる。
【００４９】
なお、実施例９〜１１の各手段は、他の実施例と共同して採用することができるものであることは明らかである。
【００５０】
【発明の効果】
以上のように本発明の電気湯沸かし器によれば、バックアップ電源による電源供給に移行した後、所定時間、商用電源の供給が終了したときの温度表示を維持することで、湯温表示のちらつきを防止し、違和感をなくすことができ、使い勝手を向上させることができるものである。
【図面の簡単な説明】
【図１】本発明の実施例１、２、９における電気湯沸かし器の構成を示す模式図
【図２】本発明の実施例３、４における電気湯沸かし器の構成を示す模式図
【図３】本発明の実施例５、６における電気湯沸かし器の構成を示す模式図
【図４】本発明の実施例７、８における電気湯沸かし器の構成を示す模式図
【図５】本発明の実施例１０、１１における電気湯沸かし器の構成を示す模式図
【符号の説明】
１  電源プラグ
２  容器
３  加熱源
４  温度検知手段
５  表示手段
６  制御手段
７  バックアップ電源
８  バックアップ時表示時間計測手段
９  商用電源供給時記憶手段
１０  バックアップ終了後表示時間計測手段
１１  バックアップ供給時記憶手段
１２  水量検知手段
【図１】
0003606248.tif 000002
【図２】
0003606248.tif 000003
【図３】
0003606248.tif 000004
【図４】
0003606248.tif 000005
【図５】
0003606248.tif 000006